(57)【要約】【課題】空調空気を吹き出す吹出方向を変更可能な建物用レジスタを提供すること。【解決手段】可動フィン３５，３６は、通風路３９に設けられ、送風方向４１と交差する方向へ延設されるフィン軸３５Ａ，３６Ａによってリテーナ３２に対して回動可能に支持される。操作部３７は、可動フィン３５，３６と駆動連結される。可動フィン３５，３６は、操作部３７に対する操作に応じて回動し、ベゼル３３の吹出口６０から空調空気を吹き出す吹出方向３１を変更する。【選択図】図３
2018189269.tif 000002
【特許請求の範囲】
【請求項１】
建物の設置面に形成された空調空気を吹き出す開口部に挿入され、前記空調空気を流す通風路を有する筒状をなし、前記空調空気の送風方向の下流側に下流側開口を設けられたリテーナと、
前記リテーナの前記下流側開口に設けられ、前記空調空気を吹き出す吹出口を形成されたベゼルと、
前記通風路に設けられ、前記送風方向と交差する方向へ延設されるフィン軸によって前記リテーナに対して回動可能に支持される可動フィンと、
前記可動フィンと駆動連結された操作部と、
前記操作部に対する操作を前記可動フィンに伝達する伝達機構と、を備え、
前記可動フィンは、前記操作部に対する操作に応じて回動し、前記ベゼルの前記吹出口から前記空調空気を吹き出す吹出方向を変更する、建物用レジスタ。
【請求項２】
前記可動フィンは、前記操作部に対する操作に応じて、前記通風路を開放する開放位置と、前記リテーナの内壁に外周縁を近接させ前記通風路を閉塞する閉塞位置との間で回動する、請求項１に記載の建物用レジスタ。
【請求項３】
前記送風方向に直交する平面で切断された前記リテーナの断面形状が、一方向に長い長方形形状であり、
前記リテーナは、前記通風路に設けられた仕切板を有し、
前記仕切板は、板状をなし、その厚さ方向で対向する一対の面を前記リテーナの内壁と対向させ、前記リテーナの長手方向に沿って配置され、前記通風路を複数の分割通風路に分割し、
前記可動フィンは、前記仕切板によって分割された複数の前記分割通風路のそれぞれに設けられ、前記閉塞位置において前記リテーナの内壁及び前記仕切板に前記外周縁を近接させ前記分割通風路のそれぞれを閉塞する、請求項２に記載の建物用レジスタ。
【請求項４】
前記リテーナは、前記下流側開口を複数に分割する棒状リブを有し、
前記ベゼルは、前記吹出口を複数に分割する固定フィンを有し、
前記棒状リブは、一方向に延設される棒状をなし、延設方向の両端を前記下流側開口に接続され、前記固定フィンの位置に合わせて配置され、前記送風方向における前記固定フィンの上流側に配置され、前記固定フィン側へ突出した凸部を形成され、
前記固定フィンは、前記棒状リブの前記凸部の形状に合わせて凹設され、前記凸部を挿入される凹部を形成される、請求項１乃至請求項３の何れかに記載の建物用レジスタ。
【請求項５】
前記送風方向に直交する平面で切断された前記リテーナの断面形状が、一方向に長い長方形形状であり、
前記棒状リブは、前記リテーナの短手方向に沿って設けられ、前記リテーナの長手方向に沿って所定の間隔ごとに配置された複数個であり、
前記固定フィンは、前記棒状リブの位置に合わせて配置された複数個であり、
前記凸部は、前記リテーナの長手方向に沿って配置される複数の前記棒状リブのうち、１つおきの前記棒状リブに形成される、請求項４に記載の建物用レジスタ。
【請求項６】
前記ベゼルは、前記吹出口を複数に分割する固定フィンを有し、
前記送風方向に沿った平面で切断された前記固定フィンの断面形状が、前記送風方向の上流側から下流側に向かって先細りした形状である、請求項１乃至請求項５の何れかに記載の建物用レジスタ。
【請求項７】
前記操作部は、円板形状をなし、前記リテーナに対して回動可能に取り付けられ、
前記操作部における前記送風方向の下流側となる縁部の位置は、前記送風方向において、前記ベゼルにおける被空調空間側の表面の位置と同一、又は前記ベゼルにおける被空調空間側の前記表面の位置に比べて上流側に位置する、請求項１乃至請求項６の何れかに記載の建物用レジスタ。
【請求項８】
前記ベゼルには、円板形状をなす前記操作部の側面の位置に合わせて挿入口が形成され、
前記挿入口には、前記送風方向の上流側から下流側に向かうに従って前記操作部の前記側面との距離を徐々に長くする傾斜面が形成される、請求項７に記載の建物用レジスタ。
【請求項９】
前記ベゼルは、円板形状をなす前記操作部の側面の位置に合わせて設けられた可動部と、前記可動部を付勢する付勢部とを有し、
前記可動部は、前記ベゼルに対して回動可能に設けられ、被空調空間側の操作面を前記ベゼルの前記表面と面一にする通常位置と、被空調空間側から前記操作面に外力を付与され前記送風方向の上流側へと回動した操作位置との間で回動し、
前記操作面は、前記操作位置において、前記送風方向の上流側から下流側に向かうに従って前記操作部の前記側面との間の距離を徐々に長くした状態となり、
前記付勢部は、前記操作位置から前記通常位置に向かう方向へ前記可動部を付勢する、請求項７に記載の建物用レジスタ。
【請求項１０】
前記操作部は、円板形状をなし、前記リテーナに対して回動可能に取り付けられ、外周部に沿って第一歯部を形成され、
前記可動フィンの前記フィン軸に設けられ、前記フィン軸とともに回動し、前記第一歯部とかみ合う第二歯部を形成された歯車を備える、請求項１乃至請求項９の何れかに記載の建物用レジスタ。
【請求項１１】
前記可動フィンは、複数個設けられ、
前記歯車は、複数の前記可動フィンの前記フィン軸の各々に設けられ、
前記フィン軸の各々に設けられた前記歯車を互いに連結するアーム部を備える、請求項１０に記載の建物用レジスタ。
【発明の詳細な説明】
【技術分野】
【０００１】
本発明は、建物の床等に設置され、空調空気を吹き出す建物用レジスタに関するものである。
【背景技術】
【０００２】
従来、住宅などの建物の床面に取り付ける建物用レジスタがある（例えば、特許文献１など）。特許文献１に記載された建物用レジスタ（文献では、吹出口グリル）は、建物の床面に設けられた開口部であって、送風ダクトと接続された開口部に取り付けられ、空調装置から送風ダクトに供給される空調空気（冷風など）を室内に吹き出す。建物用レジスタは、吹出口から室内に空調空気を吹き出すことによって室内の空調を行う。吹出口には、複数のルーバーが設けられている。複数のルーバーは、吹出口を格子状に分割している。また、この建物用レジスタは、吹出口からレジスタ内へと埃等の異物が入り込むことを防止するために、吹出口を覆うカバーを取り付け可能となっている。カバーは、２つのルーバー間の隙間に、引っかけ部を挿入することによって、水平方向への位置ずれを規制される。
【先行技術文献】
【特許文献】
【０００３】
【特許文献１】特開２０１６−２２３６５６号公報
【発明の概要】
【発明が解決しようとする課題】
【０００４】
上記した建物用レジスタでは、空調装置から送風ダクトに供給された空調空気を、吹出口から室内へと吹き出す。従来、この種の建物で使用される建物用レジスタでは、送風ダクトから流れ込んだ空調空気を、そのまま吹出口から吹き出す構成であった。しかしながら、例えば住宅などに住むユーザは、建物用レジスタから吹き出される空調空気の吹出方向を、室内の人の位置や家具の配置などに応じて適宜変更したい場合がある。
【０００５】
本発明は、上述した問題点を解決するためになされたものであり、空調空気を吹き出す吹出方向を変更可能な建物用レジスタを提供する。
【課題を解決するための手段】
【０００６】
本願は、建物の設置面に形成された空調空気を吹き出す開口部に挿入され、前記空調空気を流す通風路を有する筒状をなし、前記空調空気の送風方向の下流側に下流側開口を設けられたリテーナと、前記リテーナの前記下流側開口に設けられ、前記空調空気を吹き出す吹出口を形成されたベゼルと、前記通風路に設けられ、前記送風方向と交差する方向へ延設されるフィン軸によって前記リテーナに対して回動可能に支持される可動フィンと、前記可動フィンと駆動連結された操作部と、前記操作部に対する操作を前記可動フィンに伝達する伝達機構と、を備え、前記可動フィンは、前記操作部に対する操作に応じて回動し、前記ベゼルの前記吹出口から前記空調空気を吹き出す吹出方向を変更する、建物用レジスタを開示する。
【発明の効果】
【０００７】
本願の建物用レジスタによれば、空調空気を吹き出す吹出方向を変更することができる。
【図面の簡単な説明】
【０００８】
【図１】実施形態に係る建物用レジスタを建物に設置した状態を示す模式図である。
【図２】建物用レジスタの外観斜視図である。
【図３】建物用レジスタの分解斜視図である。
【図４】右下方から見たリテーナの斜視図である。
【図５】左下方から見たベゼルの斜視図である。
【図６】建物用レジスタの前面図である。
【図７】建物用レジスタの左側面図である。
【図８】建物用レジスタの右側面図である。
【図９】建物用レジスタの上面図である。
【図１０】図９に示すＡ−Ａ線で切断した断面図である。
【図１１】図９に示すＢ−Ｂ線で切断した断面図である。
【図１２】可動フィンの側面図である。
【図１３】可動フィンの平面図である。
【図１４】図９に示すＣ−Ｃ線で切断した断面図であって、周縁部及び操作部を含む一部拡大図である。
【図１５】別例の一部拡大図である。
【図１６】図９に示すＤ−Ｄ線で切断した断面図である。
【図１７】図９に示すＤ−Ｄ線で切断した断面図である。
【図１８】図９に示すＤ−Ｄ線で切断した断面図である。
【図１９】図９に示すＤ−Ｄ線で切断した断面図である。
【図２０】図９に示すＥ−Ｅ線で切断した断面図である。
【図２１】図９に示すＥ−Ｅ線で切断した断面図である。
【図２２】図９に示すＥ−Ｅ線で切断した断面図である。
【図２３】図９に示すＥ−Ｅ線で切断した断面図である。
【発明を実施するための形態】
【０００９】
以下、本願に係わる建物用レジスタを具体化した一実施形態について、図面を参照しつつ説明する。
【００１０】
（建物用レジスタ１０の設置状況）
図１に示すように、本実施形態の建物用レジスタ１０は、一例として、建物２０（住宅やビルなど）の居室２２に設置されている。建物２０には、例えば、空調室２１と、２つの居室２２とが設けられている。空調室２１は、例えば、住宅の屋根裏２３に設けられた機械室であり、全館空調を行う室内機２５が設置されている。室内機２５は、送風ダクト２７を介して、建物２０内の各居室２２と接続されている。室内機２５は、例えば、送風ダクト２７を介して、温風、冷風、外気などの空調空気を各居室２２に供給する。送風ダクト２７は、屋根裏２３から建物２０の床下空間２９を通って、各居室２２まで配設されている。
【００１１】
送風ダクト２７は、各居室２２の床板２２Ａに形成された開口部２２Ｂに接続されている。開口部２２Ｂは、床板２２Ａを貫通して形成されている。本実施形態の建物用レジスタ１０は、この開口部２２Ｂに取り付けられている。建物用レジスタ１０は、室内機２５から送風ダクト２７を通じて供給された空調空気（温風など）を、吹出方向３１に沿って居室２２内へ吹き出す。これにより、各居室２２の空調（暖房など）が行われる。本実施形態の建物用レジスタ１０は、後述するように、空調空気を吹き出す吹出方向３１を変更可能となっている。
【００１２】
なお、図１に示す空調システムの構成は一例であり、適宜変更可能である。例えば、建物用レジスタ１０の設置位置は、床板２２Ａに限らず、居室２２の壁や天井でもよい。また、室内機２５の設置場所は、屋根裏に限らず、居室２２内でも良い。また、室内機２５は、例えば、空気熱を利用したものでもよく、地中熱を利用したものでもよい。
【００１３】
（建物用レジスタ１０の構成）
次に、建物用レジスタ１０の構成について図２〜図１５を参照しつつ説明する。図２は、建物用レジスタ１０の斜視図を示している。図３は、建物用レジスタ１０の分解斜視図を示している。図２及び図３に示すように、本実施形態の建物用レジスタ１０は、リテーナ３２と、ベゼル３３と、２つの可動フィン３５，３６と、操作部３７等を備えている。建物用レジスタ１０は、例えば、樹脂材料で形成されている。なお、建物用レジスタ１０の材料は、樹脂材料に限らず、金属等でもよい。また、建物用レジスタ１０の一部を金属等で製造してもよい。
【００１４】
（リテーナ３２及びベゼル３３の構成）
リテーナ３２は、空調空気を流す通風路３９を有する筒状をなしている。空調空気を送風する送風方向４１に直交する平面で切断されたリテーナ３２の断面形状は、例えば、一方向に長い略長方形形状をなしている。尚、以下の説明では、図２及び図３に示すように、リテーナ３２の長手方向に沿った方向を左右方向、リテーナ３２の短手方向に沿った方向を前後方向、前後方向及び左右方向の両方に直交する方向、即ち、リテーナ３２内の空調空気を送風する送風方向４１に沿った方向を上下方向と定義し説明する。この場合、リテーナ３２は、上下方向に沿って通風路３９を貫通して形成された断面略長方形の筒状をなしている。
【００１５】
リテーナ３２は、図１に示す建物２０の設置面である床板２２Ａに形成された空調空気を吹き出す開口部２２Ｂに挿入される。従って、リテーナ３２の形状は、開口部２２Ｂの形状に合わせて適宜変更される。リテーナ３２は、例えば、開口部２２Ｂに挿入された状態で取り付けられ、着脱可能となっている。ユーザは、建物用レジスタ１０全体を開口部２２Ｂから自由に抜き出すことができる。なお、リテーナ３２やベゼル３３を、ビスなどによって床板２２Ａに固定してもよい。
【００１６】
ベゼル３３は、略板状をなしており、リテーナ３２における空調空気の送風方向４１の下流側に設けられた下流側開口５１に取り付けられ、空調空気を吹き出す吹出口６０を形成されている。図３に示すように、リテーナ３２には、下流側開口５１を形成した下流側部分の外周面にベゼル３３を取り付けるための複数の第一係合爪５２が形成されている。第一係合爪５２は、リテーナ３２の前面５３Ａに４つ形成されている。
【００１７】
図４は、右下方から見たリテーナ３２の斜視図を示している。リテーナ３２の後面５３Ｂには、前面５３Ａ（図３参照）と同様に、４つの第一係合爪５２が形成されている。図３に示すように、前面５３Ａに形成された４つの第一係合爪５２は、左右方向に沿って所定の間隔ごとに形成されている。最も左側の第一係合爪５２は、前面５３Ａの下流側開口５１側で、且つ左側の端部部分に形成されている。また、最も右側の第一係合爪５２は、前面５３Ａの下流側開口５１側で、且つ右側の端部部分に形成されている。なお、図４に示すように、後面５３Ｂの４つの第一係合爪５２も、前面５３Ａの第一係合爪５２と同様の位置に形成されている。
【００１８】
図５は、左下方から見たベゼル３３の斜視図を示している。図５に示すように、ベゼル３３には、リテーナ３２の第一係合爪５２の位置に合わせて第一被係合部６１が形成されている。第一被係合部６１は、ベゼル３３の下面６３から下方に突出した板状をなしている。第一被係合部６１は、前後方向に直交する平面で切断した断面形状が、下方に向かって先細りとなる台形形状をなしている。第一被係合部６１の先端部には、リテーナ３２の第一係合爪５２を挿入する係合穴６１Ａが設けられている。
【００１９】
図３及び図４に示すように、リテーナ３２の前面５３Ａ及び後面５３Ｂには、第一係合爪５２の位置に、第一被係合部６１の形状に合わせた溝５２Ａが形成されている。図６は、建物用レジスタ１０の前面図であって、リテーナ３２にベゼル３３を取り付けた状態を示している。図６に示すように、ベゼル３３は、各第一被係合部６１の係合穴６１Ａに第一係合爪５２を係合させた状態で取り付けられている。各第一係合爪５２は、溝５２Ａ（図３及び図４参照）に挿入された状態となる。
【００２０】
同様に、図３に示すように、リテーナ３２の左側面５３Ｃには、下流側開口５１を形成した下流側部分の外周面にベゼル３３を取り付けるための第二係合爪５４が形成されている。また、図４に示すように、リテーナ３２の右側面５３Ｄには、左側面５３Ｃ（図３参照）と同様に、第二係合爪５４が形成されている。
【００２１】
図３に示すように、左側面５３Ｃに形成された第二係合爪５４は、前後方向の中央部に形成されている。また、図４に示すように、右側面５３Ｄの第二係合爪５４も、前後方向の中央部に形成されている。なお、以下の第二係合爪５４の説明では、第一係合爪５２と同様の構成についてはその説明を適宜省略する。
【００２２】
図５に示すように、ベゼル３３には、リテーナ３２の第二係合爪５４の位置に合わせて第二被係合部６２が形成されている。第二被係合部６２は、第一被係合部６１と同様の形状をなしている。図７は、建物用レジスタ１０の左側面図であって、リテーナ３２にベゼル３３を取り付けた状態を示している。図８は、建物用レジスタ１０の右側面図であって、リテーナ３２にベゼル３３を取り付けた状態を示している。図７及び図８に示すように、ベゼル３３は、第二被係合部６２に第二係合爪５４を係合させた状態で取り付けられている。ベゼル３３は、第一及び第二被係合部６１，６２を、第一及び第二係合爪５２，５４に係合させることで、リテーナ３２に対して固定される。
【００２３】
図９は、建物用レジスタ１０の上面図を示している。図９に示すように、ベゼル３３は、空調空気を吹き出す吹出口６０を複数に分割する固定フィン６４を有する。複数の固定フィン６４の各々は、前後方向に沿った平板状をなしている。複数の固定フィン６４は、左右方向において所定の間隔ごとに設けられている。固定フィン６４の各々は、厚さ方向の一対の面を左右方向において互いに対向させ、前後方向に沿った状態で配置されている。  
【００２４】
ベゼル３３は、吹出口６０を囲む枠部分として、前後方向で対向する一対の周縁部６５と、左右方向で対向する一対の周縁部６９とを有する。一対の周縁部６５の各々は、前後方向の幅を一定とし左右方向に沿って形成されている。また、一対の周縁部６９の各々は、左右方向の幅を一定とし、前後方向に沿って形成されている。周縁部６５の左右方向の両端部は、一対の周縁部６９の各々に接続されている。これにより、周縁部６５及び周縁部６９は、上面から見た場合に略長方形の枠を構成する。吹出口６０は、周縁部６５及び周縁部６９によって囲まれている。固定フィン６４の前後方向の両端部は、一対の周縁部６５の各々に接続されている。そして、固定フィン６４の各々は、左右方向において吹出口６０を複数の吹出口に分割している。
【００２５】
また、左右方向で隣り合う２つの固定フィン６４は、複数の連結リブ６６によって互いに接続されている。連結リブ６６は、左右方向に沿った棒状に形成され、その両端を固定フィン６４の平面に接続されている。また、ベゼル３３の前後方向の中央部には、左右方向に沿って形成された中央リブ６７が形成されている。中央リブ６７は、左右方向に沿った棒状に形成され、複数の固定フィン６４のすべてを左右方向において互いに連結している。これにより、複数の固定フィン６４を連結リブ６６と中央リブ６７とで接続することで、固定フィン６４の剛性を高めることが可能となっている。
【００２６】
また、図３に示すように、リテーナ３２は、下流側開口５１を複数に分割する複数の棒状リブ５５を有する。複数の棒状リブ５５の各々は、前後方向に延設される棒状をなし、前後方向（延設方向）の両端を下流側開口５１の内壁に接続され固定されている。棒状リブ５５の各々は、左右方向、即ち、リテーナ３２の長手方向に沿って所定の間隔ごとに配置されている。棒状リブ５５の各々は、前後方向及び左右方向において、リテーナ３２の固定フィン６４の位置に合わせて配置されている。従って、リテーナ３２にベゼル３３を組み付けた状態では、棒状リブ５５の各々は、送風方向４１における固定フィン６４の上流側に配置される。
【００２７】
また、図３及び図４に示すように、リテーナ３２の前後方向の中央には、仕切板５６が設けられている。仕切板５６は、板状をなし、厚さ方向の一対の面を前後方向においてリテーナ３２の内壁と対向させている。複数の棒状リブ５５の各々は、前後方向の中央において、仕切板５６によって互いに接続されている。仕切板５６は、通風路３９内において左右方向に沿って配置され、左右方向の両端のそれぞれをリテーナ３２の内壁に接続されている。これにより、仕切板５６は、通風路３９を、前後方向で並んで配置された２つの分割通風路３９Ａ，３９Ｂに分割する。
【００２８】
また、図４に示すように、仕切板５６の右側端部には、リテーナ３２の内壁との接続部分にリブ５６Ａが形成されている。これにより、リブ５６Ａによって仕切板５６とリテーナ３２の内壁との接続部分を補強することで、仕切板５６の剛性を高めることができる。
【００２９】
また、図３に示すように、仕切板５６には、上端部に複数の棒状リブ５５のそれぞれが接続されている。棒状リブ５５の各々には、固定フィン６４側へ突出した凸部５５Ａが形成されている。凸部５５Ａは、各棒状リブ５５のそれぞれに４つ形成されている。凸部５５Ａは、棒状リブ５５において、前面５３Ａと接続される端部に１つ、仕切板５６を間に挟んで前後方向で対向する部分のそれぞれに１つずつ、後面５３Ｂと接続される端部に１つ形成されている。本実施形態の凸部５５Ａは、左右方向（リテーナ３２の長手方向）に沿って配置される複数の棒状リブ５５のうち、１つおきの棒状リブ５５に形成されている。
【００３０】
図１０は、図９に示すＡ−Ａ線で切断し左側から見た断面図を示している。図１０は、凸部５５Ａを有する棒状リブ５５で切断した切断面を示している。図１０に示すように、凸部５５Ａは、棒状リブ５５の上面から上方に突出し、前後方向に所定の幅を有する矩形の断面形状をなしている。固定フィン６４には、棒状リブ５５の凸部５５Ａの位置に合わせて形成され、凸部５５Ａの形状に合わせて凹設された凹部６４Ａが形成されている。各凹部６４Ａには、凸部５５Ａが送風方向４１の下流側から嵌め込まれる。凸部５５Ａを凹部６４Ａに嵌め込むことで、組み付け後のベゼル３３のリテーナ３２に対する前後方向への位置ズレを抑制することができる。なお、凸部５５Ａは、凹部６４Ａに嵌め込んで固定せず、凹部６４Ａに挿入するだけの構成でも良い。
【００３１】
また、図１０に示すように、本実施形態のベゼル３３の周縁部６５は、前後方向においてリテーナ３２よりも外側まで延設されている。周縁部６５の下面は、例えば、床板２２Ａ（図１参照）に設置した場合に、床板２２Ａの表面と隙間なく接するように形成されている。これにより、床板２２Ａ（図１参照）に設置した場合に、リテーナ３２の回りから開口部２２Ｂへ埃等が侵入するのを抑制することができる。
【００３２】
また、図１１は、図９に示すＢ−Ｂ線で切断し前方から見た断面図を示している。図１１に示すように、凸部５５Ａは、左右方向に沿って配置される複数の棒状リブ５５のうち、１つおきの棒状リブ５５に形成されている。換言すれば、棒状リブ５５は、１つおきの固定フィン６４と、凸部５５Ａ（凹部６４Ａ）を嵌め込んで互いに固定されている。
【００３３】
図１１の拡大図に示すように、凸部５５Ａは、左右方向の中央部において、固定フィン６４側に突出した形状をなしている。また、送風方向４１（上下方向）及び左右方向に沿った平面で切断した固定フィン６４の断面形状は、送風方向４１の上流側（図１１の下方）から下流側（図１１の上方）に向かって先細りした形状となっている。固定フィン６４は、凸部５５Ａと凹部６４Ａとを嵌め込む上流側（下方側）端部から下流側の先端部に向かって、左右方向の幅を徐々に小さくした形状をなしている。
【００３４】
また、送風方向４１（上下方向）及び左右方向に沿った平面で切断した棒状リブ５５の断面形状は、送風方向４１の下流側（図１１の上方）から上流側（図１１の下方）に向かって先細りした形状となっている。棒状リブ５５は、凸部５５Ａと凹部６４Ａとを嵌め込む下流側端部から上流側の先端部に向かって、左右方向の幅を徐々に小さくした形状をなしている。
【００３５】
また、図３、図４及び図１１に示すように、リテーナ３２には、左右方向の中央部であって、前面５３Ａ及び後面５３Ｂのそれぞれの内壁に、リブ３２Ａが形成されている。リテーナ３２は、リテーナ３２における左右方向の中央部分に設けられた２つの棒状リブ５５のそれぞれの下方の位置に形成されている。リブ３２Ａの各々は、上下方向及び前後方向に沿った平面を有する板状をなしている。リブ３２Ａの各々は、棒状リブ５５の下端から下方に向かって形成され、下方に向かうに従って内壁に近づくように先細りとなる略直角三角形状をなしている。
【００３６】
（可動フィン３５，３６の構成）
次に、可動フィン３５，３６の構成について説明する。図３及び図１０に示すように、２つの可動フィン３５，３６は、リテーナ３２の分割通風路３９Ａ，３９Ｂのそれぞれに設けられ、左右方向（送風方向４１と交差する方向）へ延設されるフィン軸３５Ａ，３６Ａによってリテーナ３２に対して回動可能に支持されている。可動フィン３６は、可動フィン３６と同様の構成となっている。このため、以下の説明では、主に可動フィン３５について説明し、可動フィン３６の説明を適宜省略する。
【００３７】
図１２は、可動フィン３５を上方から見た側面を示している。図１３は、可動フィン３５を前方から見た平面図を示している。なお、図１２及び図１３は、厚さ方向の一対の平面を上下方向及び左右方向に沿わせた状態の可動フィン３５を示している。以下の可動フィン３５の説明では、この状態を基準に説明する。
【００３８】
図１２及び図１３に示すように、可動フィン３５は、上下方向の幅を略一定として左右方向に沿って延設され、左右方向に長い略長方形の板状をなしている。フィン軸３５Ａは、可動フィン３５の左側及び右側のそれぞれの端部であって、上下方向の中央部に設けられている。フィン軸３５Ａは、可動フィン３５の回転軸（中心軸）線上に配置されている。
【００３９】
図３及び図４に示すように、可動フィン３５の右側のフィン軸３５Ａは、リテーナ３２の右側面５３Ｄに形成された軸受穴５７に挿入される。軸受穴５７は、右側面５３Ｄを左右方向に貫通して形成されている。また、可動フィン３５の左側のフィン軸３５Ａは、リテーナ３２の左側面５３Ｃに形成された軸受溝５８に挿入される。軸受溝５８は、左側面５３Ｃを切り欠いて形成され、下端部に開口が形成されている。軸受溝５８は、開口を形成された下端部から上端部に向かって先細り形状に形成されている。軸受溝５８の上端部は、若干だけ幅広に形成され、この幅広に形成された部分に可動フィン３５が嵌め込まれる。可動フィン３５は、例えば、右側のフィン軸３５Ａを軸受穴５７に挿入した状態で、左側のフィン軸３５Ａを軸受溝５８に嵌め込まれることで、リテーナ３２に対して回動可能に保持される。図６及び図７に示すように、本実施形態の可動フィン３５は、リテーナ３２に取り付けられ、上下方向に沿って配置された状態では、その一部をリテーナ３２の上流側（下方側）の開口から下方に突出させた状態となる。
【００４０】
また、図１２及び図１３に示すように、可動フィン３５には、左右方向の中央部に切欠部３５Ｂが形成されている。切欠部３５Ｂは、可動フィン３５の上端と下端のそれぞれに形成されている。この切欠部３５Ｂは、リテーナ３２のリブ３２Ａ（図４参照）との接触を回避するためのものである。
【００４１】
また、可動フィン３５には、右側の端部に切欠部３５Ｃが形成されている。切欠部３５Ｃは、可動フィン３５の上端と下端のそれぞれに形成されている。この切欠部３５Ｃは、リテーナ３２のリブ５６Ａ（図４参照）との接触を回避するためのものである。また、可動フィン３６には、可動フィン３５と同様に、切欠部３６Ｂ，３６Ｃが形成されている。そして、本実施形態の可動フィン３５は、後述するように、操作部３７の操作に応じて回動し、通風路３９を開放しつつ空調空気を吹き出す吹出方向３１を変更する。
【００４２】
また、可動フィン３５は、操作部３７の操作に応じて回動し、厚さ方向の一対の平面を前後方向及び左右方向に沿った状態で配置され、前後方向の両側の外周縁３５Ｄを前面５３Ａ及び仕切板５６に近接させ、通風路３９を閉塞する閉塞位置となる。同様に、可動フィン３６は、操作部３７の操作に応じて回動し、厚さ方向の一対の平面を前後方向及び左右方向に沿った状態で配置され、外周縁３６Ｄ（図２３参照）を後面５３Ｂ及び仕切板５６に近接させ、通風路３９を閉塞する閉塞位置となる。従って、本実施形態の可動フィン３５，３６は、操作部３７に対する操作に応じて、通風路３９を開放する開放位置と、通風路３９を閉塞する閉塞位置との間で回動する。なお、可動フィン３５は、閉塞位置において、外周縁３５Ｄを前面５３Ａや仕切板５６に接触させる構成でもよい。この場合、ウレタンなどの円滑に接触して隙間を埋める部材を、可動フィン３５の外周縁３５Ｄに取り付けても良い。
【００４３】
また、図３に示すように、可動フィン３５の左側のフィン軸３５Ａには、歯車７１が設けられている。歯車７１は、フィン軸３５Ａの先端部に設けられ、フィン軸３５Ａ（可動フィン３５）とともに一体的に回転する。歯車７１は、略円板形状をなしている。歯車７１の外周縁には、所定のピッチごとに第二歯部７１Ａが形成されている。歯車７１の外側（左側）の側面には、左右方向に沿って左方向（外方）へ突出した接続部７１Ｂが形成されている。接続部７１Ｂは、円柱形状をなし、基端部を歯車７１の側面に固定され、歯車７１とともに一体的に回転する。
【００４４】
同様に、可動フィン３６の左側のフィン軸３６Ａには、歯車７２が設けられている。歯車７２は、フィン軸３６Ａの先端部に設けられ、フィン軸３６Ａ（可動フィン３６）とともに一体的に回転する。歯車７２は、略円板形状をなしている。歯車７２の外周縁には、周方向に沿って所定のピッチごとに第二歯部７２Ａが形成されている。歯車７２の外側（左側）の側面には、左右方向に沿って左方向（外方）へ突出した接続部７２Ｂが形成されている。接続部７２Ｂは、円柱形状をなし、基端部を歯車７２の側面に固定され、歯車７２とともに一体的に回転する。
【００４５】
フィン軸３５Ａ，３６Ａの各々に設けられた歯車７１，７２は、アーム部７４によって互いに連結されている。アーム部７４は、上下方向の幅を略一定とし、前後方向に沿って形成され板状をなしている。アーム部７４には、左右方向（厚さ方向）において対向する一対の平面が形成されている。アーム部７４には、前方側の端部に右側に突出した挿入ピン７４Ａが形成されている。また、アーム部７４には、後方側の端部に右側に突出した挿入ピン７４Ｂが形成されている。アーム部７４は、挿入ピン７４Ａを接続部７１Ｂに嵌め込まれ、挿入ピン７４Ｂを接続部７２Ｂに嵌め込まれる。これにより、アーム部７４は、歯車７１，７２を連結し、２つの歯車７１，７２の一方の回転に応じて他方を同様に回転させる。
【００４６】
操作部３７は、左右方向において所定の厚みを有する略円板形状をなしている。操作部３７の中央には、左右方向に貫通して形成された軸受穴３７Ａが形成されている。また、リテーナ３２の左側面５３Ｃには、軸受穴３７Ａに挿入される回転軸５９が形成されている。回転軸５９は、左側面５３Ｃにおける上方側の側縁部であって、第二係合爪５４の位置よりも後方側の位置に形成され、左側に突出した円柱形状をなしている。回転軸５９は、前後方向において、可動フィン３６のフィン軸３６Ａ（軸受溝５８）と略同一の位置に設けられている。操作部３７は、軸受穴３７Ａに回転軸５９を挿入される。また、軸受穴３７Ａに挿入された回転軸５９の先端部には、ベゼル３３の保持部６８が嵌め込まれる（図５及び図７参照）。保持部６８は、ベゼル３３の下面６３から下方に突出し、回転軸５９の形状に応じた溝が形成されている。保持部６８は、この溝に回転軸５９の先端を挿入し回転軸５９を上方から保持した状態で、操作部３７の左側への移動を規制する。これにより、操作部３７は、回転軸５９（リテーナ３２）に対して回動可能に保持される。なお、操作部３７を、ベゼル３３に対して回動可能に取り付けてもよい。
【００４７】
また、操作部３７には、係合溝３７Ｂが形成されている。また、左側面５３Ｃは、回転軸５９の下方に係合軸５９Ａが形成されている。図７に示すように、係合溝３７Ｂは、操作部３７の周方向において所定の長さで形成されている。係合軸５９Ａは、係合溝３７Ｂに挿入される。操作部３７は、所定の範囲だけ回転すると、係合溝３７Ｂと係合軸５９Ａとが係合し、回転を規制される。これにより、操作部３７は、回転範囲を所定の範囲内で規制される。この回転範囲は、例えば、可動フィン３５，３６によって通風路３９を閉塞する閉塞位置に基づいて設定される。
【００４８】
また、図３に示すように、操作部３７と左側面５３Ｃとの間には、付加部材７６が設けられている。付加部材７６は、回転軸５９に挿入され、操作部３７と左側面５３Ｃとの間に挟まれる。付加部材７６は、操作部３７の回転動作に対して一定の付加（抵抗）を加え、操作部３７が必要以上に回転するのを抑制する。付加部材７６の材料は、例えば、エマストラである。
【００４９】
また、操作部３７の下方側の外周縁には、周方向に沿って所定のピッチごとに第一歯部３７Ｃが形成されている。図７に示すように、操作部３７は、第一歯部３７Ｃを歯車７２の第二歯部７２Ａにかみ合わせた状態で係合軸５９Ａに取り付けられる。これにより、歯車７２は、操作部３７の回転にともなって回転する。
【００５０】
本実施形態では、歯車７２は、操作部３７の回転に対して逆方向に回転する。例えば、図７における時計回り方向に操作部３７を回転させると、歯車７２は、反時計回り方向へと回転する。可動フィン３６は、歯車７２の回転にともなって回転する。また、歯車７１は、アーム部７４を介して歯車７２の回転を伝達される。このため、歯車７１も、操作部３７の回転にともなって回転する。これにより、ユーザは、操作部３７を回転させることで、歯車７１，７２を回転させ、即ち、可動フィン３５，３６を回転させ、ベゼル３３の吹出口６０から空調空気を吹き出す吹出方向３１を変更することができる。
【００５１】
なお、操作部３７を、歯車７１の第二歯部７１Ａとかみ合う位置に配置してもよい。また、本実施形態では、歯車７１は、操作部３７の第一歯部３７Ｃとかみ合っておらず、第二歯部７１Ａを形成する必要がない。しかしながら、歯車７１と歯車７２を同一形状とすることで、例えば２つの可動フィン３５，３６（歯車７１，７２を含む）を、同一の金型を用いて樹脂材料で成形可能となる。その結果、製造コストの低減を図れる。なお、歯車７１は、第二歯部７１Ａを備えなくとも良い。
【００５２】
また、図３に示すように、操作部３７の上方側の周縁部には、左右方向に沿った溝３７Ｄが複数形成されている。溝３７Ｄは、例えば、三角形状に先細りで切り込むように形成され、切り込んだ断面三角の溝を左右方向に延設して構成されている。溝３７Ｄは、操作部３７の周方向に沿って所定の間隔で形成されている。ユーザは、溝３７Ｄを形成した操作部３７の外周面に触れることで、溝３７Ｄを形成することで三角形に突出した部分に触れることとなる。この溝３７Ｄは、操作部３７を操作するユーザの指が滑るのを抑制し、操作性を向上させるためのものである。
【００５３】
また、図６に示すように、ベゼル３３の吹出口６０を囲む周縁部のうち、左側及び右側の周縁部６９は、リテーナ３２の位置よりも外側（左側又は右側）に突出している。従って、歯車７２やアーム部７４の上方には、周縁部６９が配置されている。図９に示すように、被空調空間（居室２２）側から見た場合には、歯車７２等は、周縁部６９に覆われており、視認できない状態となっている。
【００５４】
一方で、操作部３７は、図９に示すように、左側の周縁部６９と、最も左側の固定フィン６４とで区画された吹出口６０の一部に挿入され、溝３７Ｄを被空調空間（居室２２）側に露出させた状態となっている。図２及び図６に示すように、操作部３７における送風方向４１の下流側の縁部の位置、即ち、溝３７Ｄの上端部の位置は、送風方向４１（上下方向）において、ベゼル３３における被空調空間側の表面（固定フィン６４や周縁部６９の表面など）の位置と同一位置となっている。換言すれば、操作部３７は、ベゼル３３の表面と面一の状態で配置されており、ベゼル３３の表面から突出していない。これにより、床板２２Ａに配置した建物用レジスタ１０の操作部３７に物やユーザの足などが引っかかるのを抑制できる。なお、操作部３７（溝３７Ｄ）の上端部の位置は、送風方向４１（上下方向）において、ベゼル３３における被空調空間側の表面の位置に比べて上流側（下方側）の位置でもよい。即ち、操作部３７を、ベゼル３３の表面の位置よりも下方に引っ込んだ位置に配置してもよい。あるいは、操作部３７の一部を、ベゼル３３の表面よりも被空調空間側（上方側）に突出させてもよい。
【００５５】
図１４は、図９に示すＣ−Ｃ線で切断し前方側から見た断面図であって、周縁部６９及び操作部３７を含む一部拡大図である。図１４に示すように、操作部３７の上端部は、周縁部６９や固定フィン６４の上端部と面一となっている。操作部３７は、ベゼル３３の左側の周縁部６９、固定フィン６４、及び周縁部６５（図９参照）で囲まれた吹出口６０の一部に挿入されている。
【００５６】
ベゼル３３には、円板形状の操作部３７の左側側面３７Ｅの位置に合わせて挿入口８１が形成されている。挿入口８１には、左側側面３７Ｅとの左右方向の間に隙間を設けるように、傾斜面８１Ａが形成されている。傾斜面８１Ａは、下方（送風方向４１の上流側）から上方（下流側）に向かうに従って操作部３７の左側側面３７Ｅとの左右方向における距離を徐々に長くするように傾斜している。従って、挿入口８１は、下方から上方に向かうに従って広がっている。これにより、ユーザは、図１４に示すように、挿入口８１に指８３を挿入して操作部３７の左側側面３７Ｅに触れることができる。このため、ベゼル３３と面一の位置に操作部３７を配置したとしても、ユーザは、操作部３７の左側側面３７Ｅや溝３７Ｄに指８３を確実に接触させることができ、操作部３７を容易に回転させることができる。
【００５７】
なお、ベゼル３３には、指８３を挿入するための挿入口８１を形成しなくともよい。また、指８３を挿入させて操作部３７を操作し易くする構造は、上記した傾斜面８１Ａ等に限らない。例えば、図１５に示すように、ベゼル３３は、操作部３７の左側側面３７Ｅの位置に合わせて設けられた可動部８５と、可動部８５を付勢する付勢部８７とを有してもよい。付勢部８７は、例えば、バネを取り付けられたヒンジである。可動部８５は、例えば、周縁部６９の右側（操作部３７側）に配置された板状をなし、周縁部６９に取り付けられた付勢部８７を介して、周縁部６９に対して回動可能に設けられている。
【００５８】
可動部８５は、例えば、ユーザの指８３によって下方に押されることで回動する。可動部８５は、図１５に示すように、被空調空間側の操作面８５Ａをベゼル３３（周縁部６９）の表面と面一にする通常位置（図１５中の一点鎖線で示す位置）と、被空調空間側から操作面８５Ａに外力を付与され下方（送風方向４１の上流側）へと回動した操作位置（図１５中の実線で示す位置）との間で回動する。操作位置の可動部８５の操作面８５Ａは、下方から上方に向かうに従って操作部３７の左側側面３７Ｅとの左右方向における距離を徐々に長くした状態で配置される。付勢部８７のバネは、この操作位置から通常位置に向かう方向に可動部８５を付勢する。可動部８５は、付勢部８７（ヒンジ）によって上方への回動を通常位置で規制される。従って、可動部８５は、外力を付与されていない状態では、周縁部６９と面一となる通常位置になる。また、一度操作位置まで可動部８５を回動させた後、ユーザの指８３を操作面８５Ａから離すと、可動部８５は、付勢部８７から付与される付勢力によって通常位置に復帰する。これにより、ユーザは、操作部３７を操作したい場合、可動部８５の操作面８５Ａを指８３で押すことで可動部８５を通常位置から操作位置まで回動させ、押した指８３で操作部３７の左側側面３７Ｅに触れることができる。また、操作しない場合には、可動部８５は、通常位置となり埃の侵入等を抑制することができる。
【００５９】
（吹出方向３１の調整）
次に、上記した構成の建物用レジスタ１０について、空調空気の吹出方向３１を前後方向に調整する方法について、図１６〜図２３を用いて説明する。図１６〜図１９は、図９に示すＤ−Ｄ線で切断し左側から切断面を見た断面図を示している。また、図２０〜図２３は、図９に示すＥ−Ｅ線で切断し左側から切断面を見た断面図を示している。なお、以下の説明では、図１６及び図２０に示す可動フィン３５，３６の平面が上下方向に沿った状態をニュートラル状態と称する。また、図１６〜図１８、図２０〜図２２に示す通風路３９を開放する可動フィン３５，３６の位置は、本願の開放位置の一例である。また、図１９及び図２３に示すリテーナ３２の内壁に外周縁３５Ｄ，３６Ｄを近接させ通風路３９を閉塞する可動フィン３５，３６の位置は、本願の閉塞位置の一例である。
【００６０】
図１６及び図２０に示すニュートラル状態では、２つの可動フィン３５，３６は、平面を上下方向に沿った状態で配置される。２つの通風路３９（分割通風路３９Ａ，３９Ｂ）を流れる空調空気は、可動フィン３５，３６に沿って、即ち、上下方向に沿って上方へと送風される。ベゼル３３の吹出口６０から空調空気を吹き出す吹出方向３１は、図１６及び図２０に示すように上方向となる。
【００６１】
次に、操作部３７を回動させ、可動フィン３５，３６をニュートラル状態から回動させ、空気の吹出方向を変更する。例えば、図１７及び図２１に示すように、ユーザは、操作部３７を、図１７及び図２１における時計回り方向に回動させる。可動フィン３６は、操作部３７の回動に応じて反時計回りに回動する。また、可動フィン３５は、アーム部７４を介して駆動力を伝達され、可動フィン３５と連動して反時計回りに回動する。２つの可動フィン３５，３６は、上側の外周縁３５Ｄ，３６Ｄを後側（図中の左側）、下側の外周縁３５Ｄ，３６Ｄを前側（図中の右側）へ移動させる。空調空気の吹出方向３１は、後方へ変更される。
【００６２】
また、例えば、図１８及び図２２に示すように、ユーザは、操作部３７を反時計回り方向に回動させる。可動フィン３６は、操作部３７の回動に応じて時計回りに回動する。また、可動フィン３５は、可動フィン３５と連動して時計回りに回動する。２つの可動フィン３５，３６は、上側の外周縁３５Ｄ，３６Ｄを前側（図中の右側）、下側の外周縁３５Ｄ，３６Ｄを後側（図中の左側）へ移動させる。空調空気の吹出方向３１は、前方へ変更される。
【００６３】
上記した図１６〜図１８、及び図２０〜図２２に示す開放位置の操作では、操作部３７は、係合溝３７Ｂに係合軸５９Ａを挿入した状態で回動する。また、係合軸５９Ａは、係合溝３７Ｂの両端（操作部３７の周方向における係合溝３７Ｂの両端）と係合せず、操作部３７の回動を規制しない。
【００６４】
一方で、図１９及び図２３に示すように、ユーザは、例えば、操作部３７を反時計回り方向に回動させ、且つ、回動を規制される位置まで回動させる。操作部３７は、係合溝３７Ｂの端部と係合軸５９Ａとが係合し回動を規制される。可動フィン３５は、厚さ方向で対向する一対の平面を前後方向及び左右方向に沿わせた状態となり、前方側の外周縁３５Ｄを前面５３Ａの内壁に近接させ、後方側の外周縁３５Ｄを仕切板５６に近接させた状態となる。また、可動フィン３６は、厚さ方向で対向する一対の平面を前後方向及び左右方向に沿わせた状態となり、前方側の外周縁３６Ｄを仕切板５６に近接させ、後方側の外周縁３６Ｄを後面５３Ｂの内壁に近接させた状態となる。２つの可動フィン３５，３６は、通風路３９を閉塞する閉塞状態となる。吹出口６０からの空調空気の吹き出しは停止される。
【００６５】
このように、ユーザは、操作部３７を回動させることで、空調空気の吹出方向３１を前後方向に自由に変更することができる。また、ユーザは、回動が規制される位置まで操作部３７を回動させることで、空調空気の吹き出しを停止することもできる。なお、操作部３７を時計回り方向に回動させ、且つ、回動を規制される位置まで回動させた場合にも、図１９及び図２３に示す状態と同様に、通風路３９を閉塞して空調空気の吹き出しを停止することができる。
【００６６】
因みに、床板２２Ａは、設置面の一例である。第一歯部３７Ｃ、歯車７２、第二歯部７２Ａ、及びアーム部７４は、伝達機構の一例である。
【００６７】
以上、上記した実施形態によれば、以下の効果を奏する。
（１）本実施形態の建物用レジスタ１０は、建物２０の（床板２２Ａ）設置面に形成された空調空気を吹き出す開口部２２Ｂに挿入され、空調空気を流す通風路３９を有する筒状をなし、空調空気の送風方向４１の下流側に下流側開口５１を設けられたリテーナ３２と、リテーナ３２の下流側開口５１に設けられ、空調空気を吹き出す吹出口６０を形成されたベゼル３３と、通風路３９に設けられ、送風方向４１と交差する方向へ延設されるフィン軸３５Ａ，３６Ａによってリテーナ３２に対して回動可能に支持される可動フィン３５，３６と、可動フィン３５，３６と駆動連結された操作部３７と、操作部３７に対する操作を可動フィン３５，３６に伝達する伝達機構（第二歯部７２Ａ、第一歯部３７Ｃ、アーム部７４）と、を備える。可動フィン３５，３６は、操作部３７に対する操作に応じて回動し、ベゼル３３の吹出口６０から空調空気を吹き出す吹出方向３１を変更する。
【００６８】
これによれば、建物用レジスタ１０は、建物２０の床板２２Ａに形成された開口部２２Ｂに設けられ、リテーナ３２の通風路３９を流れる空調空気を、ベゼル３３の吹出口６０から吹き出して、建物２０内（居室２２内など）の空調を行う。リテーナ３２の通風路３９には、可動フィン３５，３６が設けられる。可動フィン３５，３６は、フィン軸３５Ａ，３６Ａによってリテーナ３２に対して回動可能に支持される。伝達機構（第二歯部７２Ａ等）は、操作部３７に対する操作を可動フィン３５，３６に伝達し可動フィン３５，３６を回動させる。そして、可動フィン３５，３６は、回動することで、ベゼル３３の吹出口６０から空調空気を吹き出す吹出方向３１を変更する。これにより、ユーザは、操作部３７を操作し可動フィン３５，３６を回動させることで、吹出口６０から吹き出される空調空気（冷風など）の吹出方向３１を変更できる。従って、ユーザは、居室２２内の人の位置や物（家具など）の配置に応じて空調空気の吹出方向を適宜変更できる。
【００６９】
（２）また、可動フィン３５，３６は、操作部３７に対する操作に応じて、通風路３９を開放する開放位置（図１６〜図１８、図２０〜図２２）と、リテーナ３２の内壁に外周縁３５Ｄ，３６Ｄを近接させ通風路３９を閉塞する閉塞位置（図１９及び図２３）との間で回動する。
【００７０】
これによれば、可動フィン３５，３６は、空調空気の吹出方向３１を変更するフィンとして機能するだけでなく、通風路３９を閉塞して空調空気の流れを止めるダンパとしても機能する。これにより、ユーザは、操作部３７を操作して吹出方向３１を変更できるだけでなく、必要に応じて空調空気の吹き出しを停止できる。また、例えば、建物用レジスタ１０を長期間使用しない場合などに、送風ダクト２７内への埃の侵入を抑制するため、可動フィン３５，３６を閉塞位置にして通風路３９を閉塞することができる。
【００７１】
ここで、上記した従来技術（特開２０１６−２２３６５６号公報）では、吹出口６０から建物用レジスタ１０内へ埃等の異物が入り込むことを防止するために、吹出口６０を覆うカバーを別途用意する必要があった。これに対し、本実施形態の建物用レジスタ１０では、空調空気の吹出方向３１を変更する可動フィン３５，３６を、通風路３９を閉塞するダンパとしても機能させることで、吹出口６０を覆うカバーを別途用意することなく、建物用レジスタ１０の奥（送風ダクト２７など）へ異物が入り込むのを抑制することができる。埃やゴミの掃除方法としては、例えば、ベゼル３３をリテーナ３２から取り外して、閉塞位置（水平状態）の可動フィン３５，３６の上にある埃などを掃除機で吸い取る方法が可能である。あるいは、建物用レジスタ１０そのものを設置面（床板２２Ａなど）の開口部２２Ｂから取り外しひっくり返すなどして、可動フィン３５，３６の上にある埃などをベゼル３３の吹出口６０から落とす方法が可能である。
【００７２】
（３）また、送風方向４１に直交する平面で切断されたリテーナ３２の断面形状が、一方向（左右方向）に長い長方形形状である。リテーナ３２は、通風路３９に設けられた仕切板５６を有する。仕切板５６は、板状をなし、その厚さ方向で対向する一対の面をリテーナ３２の内壁と対向させ、リテーナ３２の長手方向に沿って配置され、通風路３９を複数の分割通風路３９Ａ，３９Ｂに分割する。可動フィン３５，３６は、仕切板５６によって分割された複数の分割通風路３９Ａ，３９Ｂのそれぞれに設けられ、閉塞位置においてリテーナ３２の内壁及び仕切板５６に外周縁３５Ｄ，３６Ｄを近接させ分割通風路３９Ａ，３９Ｂのそれぞれを閉塞する。
【００７３】
これによれば、リテーナ３２の通風路３９は、仕切板５６によって複数の分割通風路３９Ａ，３９Ｂに分割される。可動フィン３５，３６は、複数個（例えば、２個）設けられ、分割通風路３９Ａ，３９Ｂのそれぞれに配置される。複数の可動フィン３５，３６の各々は、分割通風路３９Ａ，３９Ｂにおいて、開放位置と閉塞位置との間で回動する。この構成では、通風路３９を複数の分割通風路３９Ａ，３９Ｂに分割し、分割通風路３９Ａ，３９Ｂの大きさに応じて可動フィン３５，３６の大きさを小さくすることができる。可動フィン３５，３６の大きさを抑えることで、回動する可動フィン３５，３６の外周縁３５Ｄ，３６Ｄが描く回転半径を小さくすることができる。即ち、送風方向４１（上下方向）に沿ったリテーナ３２の長さを短くし、建物用レジスタ１０の小型化を図ることができる。
【００７４】
（４）また、リテーナ３２は、下流側開口５１を複数に分割する棒状リブ５５を有する。ベゼル３３は、吹出口６０を複数に分割する固定フィン６４を有する。棒状リブ５５は、一方向に延設される棒状をなし、延設方向（前後方向）の両端を下流側開口５１に接続され、固定フィン６４の位置に合わせて配置され、送風方向４１における固定フィン６４の上流側（下方）に配置され、固定フィン６４側（上方側）へ突出した凸部５５Ａを形成される。固定フィン６４は、棒状リブ５５の凸部５５Ａの形状に合わせて凹設され、凸部５５Ａを挿入される凹部６４Ａを形成される。
【００７５】
これによれば、棒状リブ５５は、延設方向（前後方向）の両端を下流側開口５１に接続され、下流側開口５１を複数に分割するとともに、筒状をなすリテーナ３２の剛性を高めることができる。また、固定フィン６４は、ベゼル３３の吹出口６０を複数に分割することで、吹出口６０から大きな異物が侵入するのを抑制することができる。また、棒状リブ５５は、凸部５５Ａを固定フィン６４の凹部６４Ａに挿入する。即ち、棒状リブ５５と固定フィン６４とは、凸部５５Ａと凹部６４Ａを係合させた状態で組み付けられる。これにより、リテーナ３２に対するベゼル３３の位置ズレを抑制することができる。
【００７６】
（５）また、送風方向４１に直交する平面で切断されたリテーナ３２の断面形状が、一方向（左右方向）に長い長方形形状である。棒状リブ５５は、リテーナ３２の短手方向（前後方向）に沿って設けられ、リテーナ３２の長手方向に沿って所定の間隔ごとに配置された複数個である。固定フィン６４は、棒状リブ５５の位置に合わせて配置された複数個である。凸部５５Ａは、リテーナ３２の長手方向に沿って配置される複数の棒状リブ５５のうち、１つおきの棒状リブ５５に形成される（図３参照）。
【００７７】
これによれば、棒状リブ５５は、複数個設けられる。棒状リブ５５の凸部５５Ａは、リテーナ３２の長手方向に沿って配置される複数の棒状リブ５５のうち、１つおきの棒状リブ５５に形成される。これにより、凸部５５Ａと凹部６４Ａとの数を減らしたことで、ベゼル３３をリテーナ３２に組み付ける際の位置合わせが容易となり、組み付け作業の作業負担が軽減される。
【００７８】
ここで、例えば、隣り合う一対の固定フィン６４（棒状リブ５５）の間にユーザが指などを入れた場合に、一対の固定フィン６４（棒状リブ５５）の両方が、凸部５５Ａ及び凹部６４Ａを係合させ位置決めされていると、固定フィン６４等が指で押されることで凸部５５Ａや凹部６４Ａが破損する虞がある。これに対し、本実施形態の建物用レジスタ１０では、隣り合う一対の固定フィン６４（棒状リブ５５）のうち、一方の固定フィン６４等は凸部５５Ａ及び凹部６４Ａを形成されておらず位置決めされていないため、ユーザが指を入れた場合に、一方の固定フィン６４等が位置をずらし指から付与される力を逃がすことができる。これにより、凸部５５Ａや棒状リブ５５等の破損を抑制することができる。
【００７９】
（６）また、ベゼル３３は、吹出口６０を複数に分割する固定フィン６４を有する。送風方向４１に沿った平面で切断された固定フィン６４の断面形状が、送風方向４１の上流側から下流側に向かって先細りした形状である（図１１の拡大図参照）。
【００８０】
これによれば、通風路３９から吹出口６０の外へ吹き出す空調空気の流れる向きが、固定フィン６４によって変更されるのを軽減し、吹出口６０から吹き出される空調空気の指向性を高め、空調空気を所望の吹出方向３１へ吹き出すことができる。
【００８１】
（７）また、操作部３７は、円板形状をなし、リテーナ３２に対して回動可能に取り付けられる。操作部３７における送風方向４１の下流側となる縁部の位置は、送風方向４１において、ベゼル３３における被空調空間側の表面の位置と同一、又はベゼル３３における被空調空間側の表面の位置に比べて上流側に位置する。
【００８２】
これによれば、円板形状の操作部３７の縁部、即ち、居室２２内等の被空調空間側の端部部分の位置は、ベゼル３３の表面と同じ位置又は表面よりも上流（下方）側の位置となる。即ち、操作部３７は、ベゼル３３の表面と面一、又は表面よりも上流側に引っ込んだ位置に配置される。換言すれば、操作部３７は、ベゼル３３の表面から出っ張らないように配置される。これにより、操作部３７をベゼル３３の表面から出っ張らせないことで、ユーザの足や居室２２内の物が操作部３７に引っかかるのを抑制できる。また、ベゼル３３の表面の掃除が容易となる。
【００８３】
（８）また、ベゼル３３には、円板形状をなす操作部３７の左側側面３７Ｅ（側面）の位置に合わせて挿入口８１が形成される（図１４参照）。挿入口８１には、送風方向４１の上流側から下流側に向かうに従って操作部３７の左側側面３７Ｅとの距離を徐々に長くする傾斜面８１Ａが形成される。
【００８４】
これによれば、ユーザは、挿入口８１に指を入れて操作部３７の左側側面３７Ｅに触れることができる。ユーザは、左側側面３７Ｅに触れた指で操作部３７を容易に回転させ、可動フィン３５，３６を回転させることができる。
【００８５】
（９）また、ベゼル３３は、円板形状をなす操作部３７の左側側面３７Ｅ（側面）の位置に合わせて設けられた可動部８５と、可動部８５を付勢する付勢部８７とを有してもよい（図１５参照）。可動部８５は、ベゼル３３に対して回動可能に設けられ、被空調空間側の操作面８５Ａをベゼル３３の表面と面一にする通常位置と、被空調空間側から操作面８５Ａに外力を付与され送風方向４１の上流側へと回動した操作位置との間で回動する。操作面８５Ａは、操作位置において、送風方向４１の上流側から下流側に向かうに従って操作部３７の左側側面３７Ｅとの間の距離を徐々に長くした状態となる。付勢部８７は、操作位置から通常位置に向かう方向へ可動部８５を付勢する。
【００８６】
これによれば、可動部８５は、付勢部８７によって通常位置に保持される。操作部３７を操作したい場合、ユーザは、可動部８５の操作面８５Ａを指で押すことで可動部８５を通常位置から操作位置まで回動させ、押した指で操作部３７の左側側面３７Ｅに触れることができる。これにより、ユーザは、左側側面３７Ｅに触れた指で操作部３７を容易に回転させ、可動フィン３５，３６を回転させることができる。
【００８７】
（１０）また、操作部３７は、円板形状をなし、リテーナ３２に対して回動可能に取り付けられ、外周部に沿って第一歯部３７Ｃを形成される。建物用レジスタ１０は、可動フィン３６のフィン軸３６Ａに設けられ、フィン軸３６Ａとともに回動し、第一歯部３７Ｃとかみ合う第二歯部７２Ａを形成された歯車７２を備える。
【００８８】
これによれば、操作部３７を回転させることで、操作部３７の第一歯部３７Ｃに第二歯部７２Ａをかみ合わせる歯車７２を回転させ、可動フィン３５，３６を回転させることができる。即ち、操作部３７を回転させることで可動フィン３５，３６を回転させることができる。
【００８９】
（１１）可動フィン３５，３６は、複数個設けられる。歯車７１，７２は、複数の可動フィン３５，３６のフィン軸３５Ａ，３６Ａの各々に設けられる。建物用レジスタ１０は、フィン軸３５Ａ，３６Ａの各々に設けられた歯車７１，７２を互いに連結するアーム部７４を備える。
【００９０】
これによれば、アーム部７４によって複数の歯車７１，７２（可動フィン３５，３６）を互いに連結することで、操作部３７を操作して複数の可動フィン３５，３６を連動して回転させることができる。
【００９１】
尚、本願は、上述した実施形態に限定されるものではなく、本願の要旨を逸脱しない範囲内で種々の改良、変形が可能であることは勿論である。
例えば、フィン軸３５Ａ，３６Ａを延設する方向は、左右方向に沿った方向に限らず、他の送風方向４１と交差する方向でもよい。例えば、フィン軸３５Ａ，３６Ａを、前後方向に延設してもよい。この場合、可動フィン３５，３６を左右方向に回動するように構成してもよい。
また、上記実施形態の操作部３７の構造や配置は一例であり、適宜変更可能である。例えば、操作部３７を、ベゼル３３の固定フィン６４に取り付けられ前後方向にスライド可能なスライドノブとして構成してもよい。この場合、操作部３７のスライド移動を、可動フィン３５，３６の回転駆動力として伝達する伝達機構を設けてもよい。
また、上記した伝達機構（歯車７２、第二歯部７１Ａ，７２Ａ、第一歯部３７Ｃ、アーム部７４）の構成は、一例であり、適宜変更可能である。例えば、操作部３７（第一歯部３７Ｃ）と歯車７２（第二歯部７２Ａ）との間に第三歯車（中間ギア）を設けてもよい。この場合、中間ギアで回転方向を反転させ、操作部３７と可動フィン３５，３６を同一方向に回動するように構成しても良い。より具体的には、図１６における時計回り方向に操作部３７を回動させた場合に、可動フィン３５，３６も時計回り方向に回動させても良い。
【００９２】
また、可動フィン３５，３６を、閉塞位置まで回動しない構成とし、吹出方向３１の変更のみできる構成としてもよい。
また、リテーナ３２は、仕切板５６を備えなくとも良い。
また、上記実施形態では、建物用レジスタ１０は、２つの可動フィン３５，３６を備えたが、１つの可動フィンを備える構成や３つ以上の可動フィンを備える構成でもよい。
また、上記実施形態では、棒状リブ５５に凸部５５Ａを設け、固定フィン６４に凹部６４Ａを設けたが、固定フィン６４に凸部を設け、棒状リブ５５に凹部を設けても良い。
また、上記実施形態において、凸部５５Ａは、リテーナ３２の長手方向に沿って配置される複数の棒状リブ５５のうち、１つおきの棒状リブ５５に形成されたが、これに限らない。例えば、凸部５５Ａ及び凹部６４Ａを、全ての棒状リブ５５及び固定フィン６４に形成しても良い。
【００９３】
また、上記実施形態では、送風方向４１に沿った平面で切断された固定フィン６４の断面形状を、送風方向４１の上流側から下流側に向かって先細りした形状としたが、これに限らない。例えば、固定フィン６４の上流側と下流側との厚みを同一にしてもよい。
また、上記実施形態では、操作部３７の左側側面３７Ｅの位置に合わせて、ベゼル３３に挿入口８１を形成したが、挿入口８１を形成しなくともよい。
また、本願における空調空気は、室内機２５から供給される空気に限らず、例えば、外気をそのまま室内に送風する場合の空気であってもよい。即ち、空調空気は、対象空間の温度や湿度などを調整する様々な空気であってもよい。
【符号の説明】
【００９４】
１０  建物用レジスタ、２０  建物、２２Ａ  床板（設置面）、２２Ｂ  開口部、３１  吹出方向、３２  リテーナ、３３  ベゼル、３５，３６  可動フィン、３５Ａ，３６Ａ  フィン軸、３５Ｄ，３６Ｄ  外周縁、３７Ｃ  第一歯部、３７Ｅ  左側側面（側面）、３９  通風路、３９Ａ，３９Ｂ  分割通風路、４１  送風方向、５１  下流側開口、５５  棒状リブ、５５Ａ  凸部、５６  仕切板、６０  吹出口、６４  固定フィン、６４Ａ  凹部、７１Ａ，７２Ａ  第二歯部、７４  アーム部、８１  挿入口、８１Ａ  傾斜面、８５  可動部、８７  付勢部。
【図１】
2018189269.tif 000003
【図２】
2018189269.tif 000004
【図３】
2018189269.tif 000005
【図４】
2018189269.tif 000006
【図５】
2018189269.tif 000007
【図６】
2018189269.tif 000008
【図７】
2018189269.tif 000009
【図８】
2018189269.tif 000010
【図９】
2018189269.tif 000011
【図１０】
2018189269.tif 000012
【図１１】
2018189269.tif 000013
【図１２】
2018189269.tif 000014
【図１３】
2018189269.tif 000015
【図１４】
2018189269.tif 000016
【図１５】
2018189269.tif 000017
【図１６】
2018189269.tif 000018
【図１７】
2018189269.tif 000019
【図１８】
2018189269.tif 000020
【図１９】
2018189269.tif 000021
【図２０】
2018189269.tif 000022
【図２１】
2018189269.tif 000023
【図２２】
2018189269.tif 000024
【図２３】
2018189269.tif 000025